(57)【要約】【課題】観察像と同じ画角で被写体を撮影することができる望遠鏡、望遠鏡本体および電子ビューファインダー装置を提供すること。【解決手段】地上望遠鏡本体１は、対物光学系を内蔵した鏡筒１２と、ピント合わせを行う際に操作するピントリング３２とこのピントリング３２の操作によって光軸方向に移動するフォーカスレンズとを有する合焦手段と、対物光学系およびフォーカスレンズを介して形成される被写体像を撮像する撮像素子を内蔵した筐体１３とを有する。地上望遠鏡１０は、この地上望遠鏡本体１と、地上望遠鏡本体１に対し着脱自在に装着され、撮像素子により撮像された画像をリアルタイムに動画として表示し得る表示素子を有する電子ビューファインダー装置７とを備える。【選択図】図７
2005141008.tif 000002
【特許請求の範囲】
【請求項１】
対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体と、
前記望遠鏡本体に対し着脱自在に装着され、前記撮像素子により撮像された画像をリアルタイムに動画として表示し得る表示素子を有する電子ビューファインダー装置とを備えたことを特徴とする望遠鏡。
【請求項２】
前記望遠鏡本体は、前記フォーカスレンズを経た光路を、接眼光学系へ向かう第１光路と前記撮像素子へ向かう第２光路とに分岐させるビームスプリッターを有する請求項１に記載の望遠鏡。
【請求項３】
前記望遠鏡本体は、接眼光学系を有するアイピースが着脱自在に装着されるアイピース取付口を有し、前記アイピース取付口に前記アイピースに代えて前記電子ビューファインダー装置を装着可能である請求項１または２に記載の望遠鏡。
【請求項４】
前記望遠鏡本体は、前記電子ビューファインダー装置に表示する画像の画像信号を出力する出力接点を有し、
前記電子ビューファインダー装置は、前記望遠鏡本体に装着されたときに前記出力接点と接触し、前記画像信号が入力される入力接点を有する請求項１ないし３のいずれかに記載の望遠鏡。
【請求項５】
前記電子ビューファインダー装置は、左右の目に対しそれぞれ接眼部を有する双眼型のものである請求項１ないし４のいずれかに記載の望遠鏡。
【請求項６】
前記対物光学系の光軸と、前記電子ビューファインダー装置の接眼部の光軸とが互いに平行である請求項１ないし５のいずれかに記載の望遠鏡。
【請求項７】
前記電子ビューファインダー装置は、前記表示素子を駆動する表示回路と、前記表示素子の電源としての電池とを内蔵する請求項１ないし６のいずれかに記載の望遠鏡。
【請求項８】
前記対物光学系を含む前記対物光学系から前記撮像素子の受光面までの間に配置された光学系全系で前記撮像素子の撮像光学系が構成され、この撮像光学系の焦点距離が、３５ｍｍフィルム判換算で８００ｍｍ以上である請求項１ないし７のいずれかに記載の望遠鏡。
【請求項９】
対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体であって、
前記撮像素子により撮像された画像をリアルタイムに動画として表示し得る表示素子を有する電子ビューファインダー装置を着脱自在に装着可能であることを特徴とする望遠鏡本体。
【請求項１０】
対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体に対し着脱自在に装着され、前記撮像素子により撮像された画像をリアルタイムに動画として表示し得る表示素子を有することを特徴とする電子ビューファインダー装置。
【発明の詳細な説明】
【技術分野】
【０００１】
本発明は、望遠鏡、望遠鏡本体および電子ビューファインダー装置に関する。
【背景技術】
【０００２】
アイピースから覗いた観察像と同様の電子画像を撮影可能なデジタル撮影機能付きの望遠鏡（地上望遠鏡）が知られている（例えば、特許文献１参照）。デジタル撮影機能付き望遠鏡は、対物光学系およびフォーカスレンズを経た光をビームスプリッターで分岐させ、分岐した一方の光を接眼光学系へ導き、他方の光を例えばＣＣＤ等の撮像素子へ導くように構成されている。
【０００３】
このようなデジタル撮影機能付き望遠鏡は、アイピースが交換可能になっており、固定焦点のアイピースを用いて固定倍率で観察するか、あるいは可変焦点のズームアイピースを用いて可変倍率で観察する。このようにして、アイピースの交換によって観察像の倍率が変えられ、よって、観察像の画角（実視界）も変えられるが、撮像素子に対する画角はアイピースによらないので、観察像の画角と撮像素子に対する画角とを一致させるには、所定の焦点距離を持った専用のアイピースが必要となる。
【０００４】
しかしながら、撮像素子に対する画角は、撮像素子のサイズによって変わるので、撮像素子サイズが異なる望遠鏡に対して観察像の画角と撮像素子に対する画角とを一致させるには、また別の専用アイピースが必要となり、費用がかさむ。
【０００５】
このようなことから、従来のデジタル撮影機能付き望遠鏡では、観察像の画角と撮像素子に対する画角とが一致しているか否かが分かりづらく、所望の画角で撮影することが困難である。
【０００６】
【特許文献１】登録実用新案第３０７４６４２号公報
【発明の開示】
【発明が解決しようとする課題】
【０００７】
本発明の目的は、観察像と同じ画角で被写体を撮影することができる望遠鏡、望遠鏡本体および電子ビューファインダー装置を提供することにある。
【課題を解決するための手段】
【０００８】
このような目的は、下記（１）〜（１０）の本発明により達成される。
（１）  対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体と、
前記望遠鏡本体に対し着脱自在に装着され、前記撮像素子により撮像された画像をリアルタイムに動画として表示し得る表示素子を有する電子ビューファインダー装置とを備えたことを特徴とする望遠鏡。
【０００９】
これにより、観察像と同じ画角で被写体を撮影することができる望遠鏡を提供することができる。この望遠鏡によれば、撮影画像に写し込みたい被写体が入っていなかったり、逆に不要な被写体までが撮影画像に入ったりするような撮影ミスを確実に防止することができ、所望の撮影画像を確実に得ることができる。
【００１０】
（２）  前記望遠鏡本体は、前記フォーカスレンズを経た光路を、接眼光学系へ向かう第１光路と前記撮像素子へ向かう第２光路とに分岐させるビームスプリッターを有する上記（１）に記載の望遠鏡。
【００１１】
これにより、アイピースの接眼光学系を介して観察像を見ることもでき、電子ビューファインダー装置を用いて観察するか接眼光学系を用いて観察するかを状況に応じて選択することができる。
【００１２】
（３）  前記望遠鏡本体は、接眼光学系を有するアイピースが着脱自在に装着されるアイピース取付口を有し、前記アイピース取付口に前記アイピースに代えて前記電子ビューファインダー装置を装着可能である上記（１）または（２）に記載の望遠鏡。
【００１３】
これにより、アイピースの接眼光学系を介して観察像を見ることもでき、電子ビューファインダー装置を用いて観察するか接眼光学系を用いて観察するかを状況に応じて選択することができる。また、電子ビューファインダー装置を用いる場合、アイピースと同じ位置に装着することができるので、使い勝手が良い。
【００１４】
（４）  前記望遠鏡本体は、前記電子ビューファインダー装置に表示する画像の画像信号を出力する出力接点を有し、
前記電子ビューファインダー装置は、前記望遠鏡本体に装着されたときに前記出力接点と接触し、前記画像信号が入力される入力接点を有する上記（１）ないし（３）のいずれかに記載の望遠鏡。
【００１５】
これにより、電子ビューファインダー装置を望遠鏡本体に装着する操作によって電気的な接続が同時になされるので、別途の作業が不要であり、使い勝手が良い。
【００１６】
（５）  前記電子ビューファインダー装置は、左右の目に対しそれぞれ接眼部を有する双眼型のものである上記（１）ないし（４）のいずれかに記載の望遠鏡。
【００１７】
これにより、両目で観察像を見ることができるので、電子ビューファインダー装置の見易さがより向上し、楽に観察を行うことができる。
【００１８】
（６）  前記対物光学系の光軸と、前記電子ビューファインダー装置の接眼部の光軸とが互いに平行である上記（１）ないし（５）のいずれかに記載の望遠鏡。
【００１９】
これにより、電子ビューファインダー装置の見易さがより向上し、楽に観察を行うことができる。
【００２０】
（７）  前記電子ビューファインダー装置は、前記表示素子を駆動する表示回路と、前記表示素子の電源としての電池とを内蔵する上記（１）ないし（６）のいずれかに記載の望遠鏡。
【００２１】
これにより、電子ビューファインダー装置用の表示回路や電池を望遠鏡本体内に設置する必要がないので、望遠鏡本体の小型化・軽量化が図れる。
【００２２】
（８）  前記対物光学系を含む前記対物光学系から前記撮像素子の受光面までの間に配置された光学系全系で前記撮像素子の撮像光学系が構成され、この撮像光学系の焦点距離が、３５ｍｍフィルム判換算で８００ｍｍ以上である上記（１）ないし（７）のいずれかに記載の望遠鏡。
【００２３】
これにより、本発明は、撮像光学系の焦点距離が上記のような範囲の望遠鏡に対して特に好ましく適用することができる。
【００２４】
（９）  対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体であって、
前記撮像素子により撮像された画像をリアルタイムに動画として表示し得る表示素子を有する電子ビューファインダー装置を着脱自在に装着可能であることを特徴とする望遠鏡本体。
【００２５】
観察像と同じ画角で被写体を撮影することができる望遠鏡本体を提供することができるので、撮影画像に写し込みたい被写体が入っていなかったり、逆に不要な被写体までが撮影画像に入ったりするような撮影ミスを確実に防止することができ、所望の撮影画像を確実に得ることができる。
【００２６】
（１０）  対物光学系と、ピント合わせを行う際に操作するピント操作部材とこのピント操作部材の操作によって光軸方向に移動するフォーカスレンズとを有する合焦手段と、前記対物光学系および前記フォーカスレンズを介して形成される被写体像を撮像する撮像素子とを備えた望遠鏡本体に対し着脱自在に装着され、前記撮像素子により撮像された画像をリアルタイムに動画として表示し得る表示素子を有することを特徴とする電子ビューファインダー装置。
【００２７】
これにより、観察像と同じ画角で被写体を撮影することができる電子ビューファインダー装置を提供することができるので、撮影画像に写し込みたい被写体が入っていなかったり、逆に不要な被写体までが撮影画像に入ったりするような撮影ミスを確実に防止することができ、所望の撮影画像を確実に得ることができる。
【発明の効果】
【００２８】
本発明によれば、観察像と同じ画角で被写体を撮影することができる望遠鏡、望遠鏡本体および電子ビューファインダー装置を提供することができるので、撮影画像に写し込みたい被写体が入っていなかったり、逆に不要な被写体までが撮影画像に入ったりするような撮影ミスを確実に防止することができ、所望の撮影画像を確実に得ることができる。
【発明を実施するための最良の形態】
【００２９】
以下、本発明の望遠鏡、望遠鏡本体および電子ビューファインダー装置を添付図面に示す好適な実施形態に基づいて詳細に説明する。
図１は、本発明の望遠鏡本体を地上望遠鏡本体に適用した場合の実施形態を示す斜め前方から見た斜視図、図２は、図１に示す地上望遠鏡本体を斜め後方から見た斜視図、図３は、図１に示す地上望遠鏡本体の断面側面図、図４は、図１に示す地上望遠鏡本体の光学系を示す斜視図、図５は、プリズムユニットを図３と反対側から見た側面図、図６は、本発明の地上望遠鏡のブロック図である。
【００３０】
本発明の地上望遠鏡（スポッティングスコープ）１０は、図１ないし図５に示す地上望遠鏡本体１と、後述する電子ビューファインダー装置７とで構成され、例えば野鳥観察などの目的に好適に用いることができるものである。
【００３１】
以下では、まず、地上望遠鏡本体１について説明する。
図１に示すように、地上望遠鏡本体１は、対物光学系１１を内蔵した鏡筒１２と、鏡筒１２の基端側に設けられた筐体１３とを有している。筐体１３の正面側上方には、ピント操作部材としてのピントリング３２が回転可能に設置されている。
【００３２】
図２に示すように、筐体１３の背面側には、アイピース２を着脱自在に装着可能な円筒状のアイピース取付口１４と、ディスプレイ１５と、各種の操作スイッチ類４とが設置されている。
【００３３】
アイピース取付口１４には、図４に示すような接眼光学系２１を内蔵したアイピース２と、電子ビューファインダー装置７とを選択的（択一的）に装着することができる。アイピース２を用いる場合には、焦点距離の異なる他のアイピースに交換することにより、観察倍率を変更することができる。また、アイピース取付口１４には、可変焦点式（ズームタイプ）のアイピースを装着することもできる。
【００３４】
図示の構成では、アイピース取付口１４に装着されるアイピース２の光軸が対物光学系１１の光軸に対し上向きに所定角度傾斜するアングルタイプの地上望遠鏡となっているが、これに限らず、本発明は、両者が平行とされたストレートタイプのものにも適用することができる。
【００３５】
ディスプレイ１５は、例えば液晶表示素子などで構成されている。ディスプレイ１５には、メニュー画面、各種モードの設定画面や、後述するＣＣＤ（Charge Coupled Device）撮像素子１６で撮像した画像などを表示することができる。
【００３６】
操作スイッチ類４としては、電源のＯＮ／ＯＦＦを切り替えるメインスイッチ４１と、レリーズボタン４２と、メニューキー４３と、ディスプレイ１５のＯＮ／ＯＦＦを切り替えるディスプレイキー４４と、ディスプレイ１５に表示されるカーソル等を移動させる上方向キー４５１、下方向キー４５２、左方向キー４５３および右方向キー４５４からなる４方向キー４５と、選択した内容を確定するＯＫボタン４６とが設けられている。
【００３７】
図３に示すように、鏡筒１２の先端付近には、対物光学系１１が設置されている。また、筐体１３内には、フォーカスレンズ（焦点調節レンズ）３１が対物光学系１１と同軸上に設置されている。フォーカスレンズ３１は、ピントリング３２を回転操作することによって光軸方向に移動し、これによりピント合わせを行うことができる。ピントリング３２の回転運動をフォーカスレンズ３１の直進運動に変換するフォーカスレンズ移動機構３３（図示せず）としては、例えば円筒カム機構や送りねじ機構などを用いることができる。フォーカスレンズ３１と、ピントリング３２と、フォーカスレンズ移動機構３３とで、合焦手段３が構成される。
【００３８】
筐体１３内におけるフォーカスレンズ３１の後方には、プリズムユニット５が設置されている。プリズムユニット５は、第１の直角プリズム５１と、第２の直角プリズム５２と、第３の直角プリズム５３と、第４の直角プリズム５４と、プリズム５５とを有している。
【００３９】
第１の直角プリズム５１の短辺側の面と第２の直角プリズム５２の長辺側の面とは接合されており、この接合面がビームスプリッター５６を構成している。また、図４に示すように、プリズム５５には、接眼光学系２１（アイピース取付口１４）へ向かう光が出射する出射面５５１が設けられている。
【００４０】
図３に示すように、対物光学系１１およびフォーカスレンズ３１を経た光は、まず、第１の直角プリズム５１へ入射する。この光の光路Ｌ１は、ビームスプリッター５６にて、接眼光学系２１へ向かう第１光路Ｌ２と、ＣＣＤ撮像素子１６へ向かう第２光路Ｌ３とに分岐する。
【００４１】
接眼光学系２１へ向かう第１光路Ｌ２は、ビームスプリッター５６での反射と、第１の直角プリズム５１の他方の短辺側の面での反射とにより、１８０°向きが変わる。図５に示すように、第１光路Ｌ２は、第３の直角プリズム５３にて２回反射して再度１８０°向きが変わり、さらにプリズム５５にて２回反射することにより上向きに傾斜し、出射面５５１より出射して接眼光学系２１へ向かうように構成されている。
【００４２】
第１の直角プリズム５１と第３の直角プリズム５３とは、正立光学系（ポロプリズム）を構成する。これにより、アイピース２において正立像を観察することができる。
【００４３】
図３に示すように、ＣＣＤ撮像素子１６へ向かう第２光路Ｌ３は、ビームスプリッター５６を透過して第４の直角プリズム５４内へ進み、第４の直角プリズム５４にて２回反射することにより１８０°向きが変わって前方へ進む。
【００４４】
筐体１３内には、さらに、ＣＣＤ撮像素子１６と、光学フィルターユニット１７と、縮小光学系１８とが設置されている。
【００４５】
ＣＣＤ撮像素子１６は、第２光路Ｌ３に沿って進んだ光を受光する位置に配置されている。このＣＣＤ撮像素子１６の受光面１６１の位置は、アイピース２の視野枠２２（予定焦点位置）と光学的に等価な位置になっている。これにより、地上望遠鏡本体１では、対物光学系１１およびフォーカスレンズ３１により得られた像をＣＣＤ撮像素子１６により撮像可能になっており、アイピース２での観察像と同じ電子画像を撮影することができる。なお、撮像素子としては、ＣＣＤ撮像素子１６に限らず、例えばＣＭＯＳセンサー等を用いてもよい。
【００４６】
光学フィルターユニット１７は、ＣＣＤ撮像素子１６の受光面１６１側に重ねて設置されている。この光学フィルターユニット１７は、光学ローパスフィルターと、赤外線カットフィルターとが積層されてなるものである。光学ローパスフィルターは、被写体光の空間周波数の中から、ＣＣＤ撮像素子１６の画素間隔で決まる標本化空間周波数に近い空間周波数成分を低減させるものである。光学ローパスフィルターを設けたことにより、偽色（モアレ）が生じるのを防止することができる。
【００４７】
また、赤外線カットフィルターは、赤外波長成分を除去するものである。赤外線カットフィルターを設置したことにより、ＣＣＤ撮像素子１６が人間の目に見えない赤外光を受光してしまうのを防止することができる。この赤外線カットフィルターとしては、例えば図８に示すような分光透過率特性のものを用いることができる。
【００４８】
第４の直角プリズム５４と、ＣＣＤ撮像素子１６および光学フィルターユニット１７との間には、縮小光学系１８が設置されている。フォーカスレンズ３１からの、第２光路Ｌ３を通った光束は、縮小光学系１８によってＣＣＤ撮像素子１６のサイズに合うように縮小され、ＣＣＤ撮像素子１６の受光面１６１上に結像する。
【００４９】
以上説明したように、地上望遠鏡本体１では、対物光学系１１を含む対物光学系１１からＣＣＤ撮像素子１６の受光面１６１までの間に配置された光学系全系、すなわち、対物光学系１１、フォーカスレンズ３１、ビームスプリッター５６、縮小光学系１８および光学フィルターユニット１７によって、ＣＣＤ撮像素子１６に対する撮像光学系が構成される。
【００５０】
この撮像光学系の焦点距離は、３５ｍｍフィルム判換算で８００ｍｍ以上であるのが好ましい。ここで、３５ｍｍフィルム判換算の焦点距離とは、ＣＣＤ撮像素子１６の有効受光面を３５ｍｍ銀塩フィルムカメラのフィルム露光面（３６ｍｍ×２４ｍｍ）の面積に拡大したとき、その拡大受光面に同じ画角で被写体像を結像させるような焦点距離を言う。
【００５１】
また、この撮像光学系の焦点距離の上限は特にないが、実際に実用されると想定される本発明の望遠鏡における撮像光学系の焦点距離としては、３５ｍｍフィルム判換算で２００００ｍｍ以下程度である。
【００５２】
図６に示すように、地上望遠鏡本体１は、電気的回路構成として、ＣＰＵ（Central Processing Unit）６０と、ＤＳＰ（Digital Signal Processor）６１と、記憶手段としてのＳＤＲＡＭ（Synchronous Dynamic Random Access Memory）６２と、撮像信号処理回路６３と、タイミングジェネレータ６４と、画像データ圧縮回路６５と、メモリインターフェース６６と、記憶手段としてのＥＥＰＲＯＭ（Electrically Erasable Programmable Read-Only Memory）６７とを有している。また、筐体１３内には、メモリーカード（記録媒体）１００を装填可能なスロット（図示せず）が設けられている。
【００５３】
ＣＰＵ６０は、予め記憶されたプログラムや操作スイッチ類４からの入力信号に基づいて地上望遠鏡本体１を統括的に制御する制御手段であり、撮影制御等の各種動作制御を行う。
【００５４】
ＤＳＰ６１は、ＣＣＤ撮像素子１６の駆動制御およびＣＣＤ撮像素子１６からの画素信号から画像データを生成する画像生成手段として機能したり、画像データの圧縮処理やメモリーカード１００への画像データ記録処理など、画像処理および画像記録の処理動作を統括して制御する制御手段として機能したりするプロセッサであり、ＣＰＵ６０と接続され相互に通信して制御の連携が可能な構成となっている。
【００５５】
ＳＤＲＡＭ６２には、画像データ生成等の作業を行う作業領域や、ディスプレイ１５用領域等が予め定められている。
【００５６】
タイミングジェネレータ６４は、ＤＳＰ６１の制御に基づき、ＣＣＤ撮像素子１６および撮像信号処理回路６３に対してサンプルパルスなどを出力し、これらの動作制御を行う。
【００５７】
使用者は、アイピース２を覗いて観察を行う際、観察対象物までの距離に応じてピントリング３２を操作することにより、観察像のピントを合わせることができる。このとき、観察像の結像位置（空中像）が視野枠２２の位置に来たときにアイピース２から覗いた観察像のピントが合うと認識できるように設計されている。別言すると、使用者は、視野枠２２の位置（予定焦点位置）に形成される像が明瞭に見えるように、ピントリング３２を回してピント合わせを行うように設計されている。
【００５８】
そして、使用者は、撮影・記録しておきたい観察像に出会った場合、レリーズボタン４２を操作して撮影を行うことにより、その観察像と同じ電子画像を撮影・記録することができる。前述したように、ＣＣＤ撮像素子１６の受光面１６１は視野枠２２の位置（予定焦点位置）と光学的に等価な位置にあるので、この状態ではＣＣＤ撮像素子１６の受光面１６１上でも被写体像が結像しており、ピントの合った画像を撮影することができる。
【００５９】
このような地上望遠鏡本体１では、アイピース取付口１４に、アイピース２に代えて電子ビューファインダー装置７を装着可能になっており、この電子ビューファインダー装置７を介して観察像を見ることもできる。以下、電子ビューファインダー装置７について説明する。
【００６０】
図７は、図１に示す地上望遠鏡本体に電子ビューファインダー装置を装着してなる地上望遠鏡を示す斜視図、図８は、電子ビューファインダー装置の斜視図、図９は、電子ビューファインダー装置の上蓋を取り外した状態の斜視図、図１０は、電子ビューファインダー装置を斜め下側から見た斜視図、図１１は、電子ビューファインダー装置を地上望遠鏡本体に装着したときの制御動作を示すフローチャートである。
【００６１】
図８に示すように、電子ビューファインダー装置７は、左目用の接眼部７１Ｌと右目用の接眼部７１Ｒとを有する双眼型のものであり、トレイ７２１と上蓋７２２とからなるケース７２と、ケース７２から斜め下方向へ突出する円筒状の首部７３とを有している。接眼部７１Ｌ、７１Ｒは、ケース７２の側面に設けられている。また、接眼部７１Ｌ、７１Ｒには、それぞれ、ルーペ７４Ｌ、７４Ｒが設置されている。
【００６２】
図９に示すように、ケース７２内には、液晶ビューファインダー７５Ｌ、７５Ｒと、液晶ビューファインダー７５Ｌ、７５Ｒを駆動する表示回路７６と、これらの電源となる電池７７とが設置されている。
【００６３】
液晶ビューファインダー７５Ｌ、７５Ｒは、液晶表示素子と、バックライトとを有している。使用者は、左目と右目とで、液晶ビューファインダー７５Ｌ、７５Ｒの表示をルーペ７４Ｌ、７４Ｒを介してそれぞれ拡大して観察する。なお、本実施形態では、液晶表示素子を用いているが、表示素子の方式はこれに限らず、有機ＥＬなどいかなる方式のものでもよい。
また、電池７７は、一次電池でも二次電池でもよい。
【００６４】
図１０に示すように、首部７３の先端部には、外径がやや縮小した縮径部７３１が形成されている。
【００６５】
図７に示すように、電子ビューファインダー装置７は、首部７３をアイピース取付口１４に固定することにより、地上望遠鏡本体１に装着可能になっている。この状態では、電子ビューファインダー装置７の接眼部７１Ｌ、７１Ｒの光軸は、地上望遠鏡本体１の対物光学系１１の光軸と平行になる。
【００６６】
首部７３とアイピース取付口１４との固定方法は、嵌合や、図示しない固定部材による固定など、いかなる方法でもよい。
【００６７】
図１０に示すように、縮径部７３１の外周部の端面からは突出部７３２が突出形成されており、この突出部７３２には画像信号が入力される入力接点７３３が設けられている。
【００６８】
一方、図２に示すように、アイピース取付口１４には、突出部７３２が挿入し得る凹部１４１が形成され、凹部１４１の底面には、画像信号を出力する出力接点１４２が設けられている。
【００６９】
メインスイッチ４１が押されると、地上望遠鏡本体１の電源がオンする（図１１中のステップＳ００１）。次いで、電子ビューファインダー装置７を地上望遠鏡本体１に装着すると、入力接点７３３と出力接点１４２とが接触し、ＣＰＵ６０は、この接点信号を検知することにより、電子ビューファインダー装置７が装着されたことを検知する（ステップＳ００２）。そして、入力接点７３３および出力接点１４２を介して地上望遠鏡本体１から電子ビューファインダー装置７へ表示画像の画像信号が伝送され、液晶ビューファインダー７５Ｌ、７５Ｒには、次のようにして、ＣＣＤ撮像素子１６により撮像された画像がリアルタイムに動画として表示（一般にライブビュー表示あるいはモニター表示という）される（ステップＳ００３）。
【００７０】
ＣＣＤ撮像素子１６の受光面１６１上に結像した被写体像は、光電変換されて電荷データとなり、この電荷データ（信号）は、液晶ビューファインダー７５Ｌ、７５Ｒに表示するライブビュー画像データ作成のため、ＣＣＤ撮像素子１６から所定画素分ずつ間引かれて順次読み出され、撮像信号処理回路６３にて相関二重サンプリング（ＣＤＳ）、自動利得制御（ＡＧＣ）およびアナログ−デジタル変換がなされた後、ＤＳＰ６１へ入力される。ＤＳＰ６１においては、入力された信号に対して所定のカラープロセス処理やγ補正等の信号処理が施され、ライブビュー画像データ（輝度信号データＹ、二つの色差信号データＣｒ、Ｃｂ）が生成される。
【００７１】
このライブビュー画像データは、液晶ビューファインダー７５Ｌ、７５Ｒの表示画素数に対応して、ＣＣＤ撮像素子１６の有効画素数よりも少ない画素数（間引きしたデータ数）の画像データである。ライブビュー画像データは、入力接点７３３および出力接点１４２を介して電子ビューファインダー装置７の表示回路７６へ伝送され、この伝送されたライブビュー画像データに基づいて液晶ビューファインダー７５Ｌ、７５Ｒの表示がなされる。ライブビュー画像データの生成処理は、ＣＣＤ撮像素子１６の読み出しとともに周期的に更新され、液晶ビューファインダー７５Ｌ、７５Ｒ上では、リアルタイムの動画として表示される。なお、ライブビュー画像は、ディスプレイ１５にも表示することができる。
【００７２】
撮影・記録時には、地上望遠鏡本体１は、次のように動作する。レリーズボタン４２が半押しされて測光スイッチ４２１がオンすると、ＣＰＵ６０は、ＣＣＤ撮像素子１６の出力信号に基づいて露出演算を行う。さらにレリーズボタン４２が全押しされてレリーズスイッチ４２２がオンすると、ＣＰＵ６０は、ＤＳＰ６１へ本露光動作を指示する。本露光指令を受けたＤＳＰ６１は、ＣＣＤ撮像素子１６の不要電荷掃き出し制御や露出制御（電荷蓄積時間制御）を行った後、前記と同様に撮像信号処理回路６３を介し、ＣＣＤ撮像素子１６から画素間引きせずに電荷データを読み出し、ＳＤＲＡＭ６２に一旦保持する。そして、ＤＳＰ６１は、ＳＤＲＡＭ６２から読み出した電荷データに対し所定の信号処理を施すことにより、画素データ数の多い記録用静止原画像データを生成する。
【００７３】
さらに、ＤＳＰ６１は、生成された記録用静止原画像データから画素データ間引き処理をして、表示用静止画像のスクリーンネイル（例えば６４０×４８０画素）を生成し、一定時間、液晶ビューファインダー７５Ｌ、７５Ｒおよびディスプレイ１５に表示させる。また、ＤＳＰ６１は、生成された記録用静止原画像データに画像データ圧縮回路６５にて画像データ圧縮処理を施し、これにより得られた例えばＪＰＥＧ、ＴＩＦＦ等の所定のフォーマットの圧縮画像データをメモリインターフェース６６を介して出力して、メモリーカード１００に記録する。
【００７４】
以上説明したような本発明の地上望遠鏡１０では、電子ビューファインダー装置７を設けたことにより、使用者は、撮影画像と同じ画角で観察像を見ることができ、両者に食い違いがない。よって、撮影画像に写し込みたい被写体が入っていなかったり、逆に不要な被写体までが撮影画像に入ったりするような撮影ミスを確実に防止することができ、所望の撮影画像を確実に得ることができる。
【００７５】
また、電子ビューファインダー装置７は、ＣＣＤ撮像素子のサイズが異なる他の地上望遠鏡本体と組み合わせて用いることもでき、その場合でも上記効果を達成することができる。
【００７６】
また、電子ビューファインダー装置７は、夜間の暗い環境下でも視認性がよく、容易に観察を行うことができる。
【００７７】
また、液晶ビューファインダー７５Ｌ、７５Ｒには、オンスクリーンディスプレイ回路を介して時計や、種々のデータ等の情報を重ねて表示することもでき、利便性が高い。
【００７８】
また、本実施形態の電子ビューファインダー装置７は、双眼型としたので、見易さがより向上し、楽に観察を行うことができる。なお、本発明の電子ビューファインダー装置は、単眼型のものでもよい。
【００７９】
また、本実施形態の電子ビューファインダー装置７は、表示回路７６および電池７７を内蔵したので、これらを地上望遠鏡本体１内に設置する必要がなく、地上望遠鏡本体１の小型化・軽量化が図れ、さらに入力接点７３３および出力接点１４２の構造の簡素化も図れる。なお、本発明では、表示回路７６および電池７７は、地上望遠鏡本体１内に設けてもよく、また、電子ビューファインダー装置７の電池を地上望遠鏡本体１と共用にしてもよい。
【００８０】
以上、本発明の望遠鏡、望遠鏡本体および電子ビューファインダー装置を図示の実施形態について説明したが、本発明は、これに限定されるものではなく、望遠鏡、望遠鏡本体および電子ビューファインダー装置を構成する各部は、同様の機能を発揮し得る任意の構成のものと置換することができる。また、任意の構成物が付加されていてもよい。
【００８１】
また、上述した実施形態において本発明を地上望遠鏡に適用した場合について説明したが、本発明は、これに限らず、天体望遠鏡を含めた各種の望遠鏡に適用することができる。
【図面の簡単な説明】
【００８２】
【図１】本発明の望遠鏡本体を地上望遠鏡本体に適用した場合の実施形態を示す斜め前方から見た斜視図である。
【図２】図１に示す地上望遠鏡本体を斜め後方から見た斜視図である。
【図３】図１に示す地上望遠鏡本体の断面側面図である。
【図４】図１に示す地上望遠鏡本体の光学系を示す斜視図である。
【図５】プリズムユニットを図３と反対側から見た側面図である。
【図６】本発明の地上望遠鏡のブロック図である。
【図７】図１に示す地上望遠鏡本体に電子ビューファインダー装置を装着してなる地上望遠鏡を示す斜視図である。
【図８】電子ビューファインダー装置の斜視図である。
【図９】電子ビューファインダー装置の上蓋を取り外した状態の斜視図である。
【図１０】電子ビューファインダー装置を斜め下側から見た斜視図である。
【図１１】電子ビューファインダー装置を地上望遠鏡本体に装着したときの制御動作を示すフローチャートである。
【符号の説明】
【００８３】
１            地上望遠鏡本体
１０          地上望遠鏡
１１          対物光学系
１２          鏡筒
１３          筐体
１４          アイピース取付口
１４１        凹部
１４２        出力接点
１５          ディスプレイ
１６          ＣＣＤ撮像素子
１６１        受光面
１７          光学フィルターユニット
１８          縮小光学系
２            アイピース
２１          接眼光学系
２２          視野枠
３            合焦手段
３１          フォーカスレンズ
３２          ピントリング
３３          フォーカスレンズ移動機構
４            操作スイッチ類
４１          メインスイッチ
４２          レリーズボタン
４２１        測光スイッチ
４２２        レリーズスイッチ
４３          メニューキー
４４          ディスプレイキー
４５          ４方向キー
４５１        上方向キー
４５２        下方向キー
４５３        左方向キー
４５４        右方向キー
４６          ＯＫボタン
５            プリズムユニット
５１          第１の直角プリズム
５２          第２の直角プリズム
５３          第３の直角プリズム
５４          第４の直角プリズム
５５          プリズム
５６          ビームスプリッター
６０          ＣＰＵ
６１          ＤＳＰ
６２          ＳＤＲＡＭ
６３          撮像信号処理回路
６４          タイミングジェネレータ
６５          画像データ圧縮回路
６６          メモリインターフェース
６７          ＥＥＰＲＯＭ
７            電子ビューファインダー装置
７１Ｌ、７１Ｒ  接眼部
７２          ケース
７２１        トレイ
７２２        上蓋
７３          首部
７３１        縮径部
７３２        突出部
７３３        入力接点
７４Ｌ、７４Ｒ  ルーペ
７５Ｌ、７５Ｒ  液晶ビューファインダー
７６          表示回路
７７          電池
１００        メモリーカード
Ｌ１           光路
Ｌ２           第１光路
Ｌ３           第２光路
Ｓ００１〜Ｓ００３  ステップ
【図１】
2005141008.tif 000003
【図２】
2005141008.tif 000004
【図３】
2005141008.tif 000005
【図４】
2005141008.tif 000006
【図５】
2005141008.tif 000007
【図６】
2005141008.tif 000008
【図７】
2005141008.tif 000009
【図８】
2005141008.tif 000010
【図９】
2005141008.tif 000011
【図１０】
2005141008.tif 000012
【図１１】
2005141008.tif 000013